(57)【要約】【課題】簡単で、迅速な取付け作業が可能な蓋体施錠装置を提供する。【解決手段】受枠内側の開口部を開閉自在に閉塞する蓋体に設けられた孔に挿入される筒状錠ホルダーと、該筒状錠ホルダー内に相対回転可能に挿入され、かつ挿入部が該筒状錠ホルダーから突出する延在部を有する回転カム連動ピンと、該延在部に固定される回転カムとを備え、前記回転カムが、蓋体が開放するのを規制する施錠位置と、蓋体が開放するのを許容する開錠位置とに位置変更自在とされる蓋体施錠装置において、前記蓋体に対して相対回転不能で、かつ、前記錠ホルダーが前記蓋体に対して相対回転不能となるように前記錠ホルダーに嵌合する錠ホルダーロックが備えられていることを特徴とする蓋体施錠装置。【選択図】      図１
2004211285.tif 000002
【特許請求の範囲】
【請求項１】
受枠内側の開口部を開閉自在に閉塞する蓋体に設けられた孔に挿入される筒状錠ホルダーと、
該筒状錠ホルダー内に相対回転可能に挿入され、かつ挿入部が該筒状錠ホルダーから突出する延在部を有する回転カム連動ピンと、
該延在部に固定される回転カムとを備え、
前記回転カムが、蓋体が開放するのを規制する施錠位置と、蓋体が開放するのを許容する開錠位置とに位置変更自在とされる蓋体施錠装置において、
前記蓋体に対して相対回転不能で、かつ、前記錠ホルダーが前記蓋体に対して相対回転不能となるように前記錠ホルダーに嵌合する錠ホルダーロックが備えられていることを特徴とする蓋体施錠装置。
【請求項２】
前記錠ホルダーロックが、前記蓋体に一体成形されている請求項１記載の蓋体施錠装置。
【請求項３】
前記錠ホルダーロックが、前記蓋体と前記回転カムとで挟持されることにより、前記錠ホルダーに嵌合した状態で固定されるように構成されている請求項１記載の蓋体施錠装置。
【発明の詳細な説明】
【０００１】
【発明の属する技術分野】
本発明は、蓋体施錠装置に関し、特に施錠による防犯機能が必要な地下構造物用鉄蓋に取付けられる施錠装置に関する。
【０００２】
【従来の技術】
従来、例えば、ガス管、水道管、電話ケーブルなどを埋設する地下共同溝には、点検作業用のマンホールが設けてある。該マンホールを閉塞する蓋体には、通常、共同溝内に設置されたガス管などに対する破壊行為や悪戯などを防止するため簡単に蓋体が開放されないように、蓋体施錠装置が取付けられている。
【０００３】
この種の蓋体施錠装置は、受枠内側の開口部を開閉自在に閉塞する蓋体に設けられた孔に挿入される筒状錠ホルダーと、該筒状錠ホルダー内に相対回転可能に挿入され、かつ挿入部に該筒状錠ホルダーから突出する延在部を有する回転カム連動ピンと、該延在部に固定される回転カムとを備え、前記回転カムが、蓋体が開放するのを規制する施錠位置と、蓋体が開放するのを許容する開錠位置とに位置変更自在とされて用いられる。
【０００４】
そして、蓋体に取付けられた蓋体施錠装置は、施錠または開錠操作に際して、例えばドライバ等の開閉用治具を、回転カム連動ピンに係合して回動させることにより、回転カム連動ピンに固定された回転カムを施錠位置と開錠位置との間で位置変更しうるようになっている。
このような蓋体施錠装置においては、もし蓋体に対して錠ホルダーが相対回転すれば、地震や振動等によって、該錠ホルダーが回転し、不用意に回転カムが開錠位置となる虞がある。
そこで従来では、前記錠ホルダーが蓋体に対して相対回転不能となるように、錠ホルダーを蓋体に複数のネジを用いて固定している（特許文献１参照）。
【０００５】
【特許文献１】
特開２００１−１４０５２０号公報
【０００６】
【発明が解決しようとする課題】
しかしながら、従来の蓋体施錠装置は、複数のネジを用いて錠ホルダーを蓋体に固定するため、蓋体への取付け作業に時間がかかるものである。従って、蓋体施錠装置の取付けにあたっては、悪天候下での作業など、簡単で、迅速な取付け作業が求められる場合もある。
そこで本発明の課題は、上記問題に鑑み、簡単で、迅速な取付け作業が可能な蓋体施錠装置を提供することにある。
【０００７】
【課題を解決するための手段】
上記課題を解決すべく、本発明の蓋体施錠装置は、受枠内側の開口部を開閉自在に閉塞する蓋体に設けられた孔に挿入される筒状錠ホルダーと、該筒状錠ホルダー内に相対回転可能に挿入され、かつ挿入部が該筒状錠ホルダーから突出する延在部を有する回転カム連動ピンと、該延在部に固定される回転カムとを備え、前記回転カムが、蓋体が開放するのを規制する施錠位置と、蓋体が開放するのを許容する開錠位置とに位置変更自在とされている蓋体施錠装置において、前記蓋体に対して相対回転不能で、かつ、前記錠ホルダーが前記蓋体に対して相対回転不能となるように前記錠ホルダーに嵌合する錠ホルダーロックが備えられていることを特徴とする。
【０００８】
本発明の蓋体施錠装置は、蓋体に対して相対回転不能で、かつ、前記錠ホルダーが前記蓋体に対して相対回転不能となるように前記錠ホルダーと嵌合する錠ホルダーロックが備えられているため、錠ホルダーを蓋体にネジ止めすることなく蓋体に対して相対回転不能とすることができる。従って、簡単で、迅速な取付け作業が可能となる。
【０００９】
前記蓋体施錠装置は、前記錠ホルダーロックが、前記蓋体と一体成形されているのが好ましい。
一体成形されることによって部品数が減るため組立工程が減り、取付け作業をさらに迅速に行うことができる。
【００１０】
前記蓋体施錠装置は、前記錠ホルダーロックが、前記蓋体と前記回転カムとで挟持されることにより、前記錠ホルダーに嵌合した状態で固定されるように構成されているのが好ましい。
前記錠ホルダーロックが、前記蓋体と前記回転カムとで挟持されることにより前記錠ホルダーに嵌合した状態で固定されるので、錠ホルダーを相対回転不能となる状態で、錠ホルダーロックと別途ネジ止め等する必要がなく、取付け作業をさらに簡単、迅速に行うことができる。
【００１１】
【発明の実施の形態】
以下、本発明の実施の形態について図面を参照しながら説明する。
図１及び図２は、蓋体に取付けられた状態の本発明蓋体施錠装置の一実施の形態を示す。本蓋体施錠装置Ａは、図１に示す如く、共同電線溝の地表開口部を開閉する、平面形状が円形の蓋体としての鉄蓋１と、その地表開口部２ａの内周部を形成し、閉じた状態の鉄蓋１を支持する受枠２に対して実施したものである。
【００１２】
蓋体施錠装置Ａは、図１に示す如く、鉄蓋（蓋体）１に設けられた孔１ａに挿入される筒状錠ホルダー７と、該錠ホルダー７内に相対回転可能に挿入され、かつ挿入時に該錠ホルダー７から下方に突出する延在部が形成される回転カム連動ピン９と、該延在部に固定される回転カム１１と、前記鉄蓋１に対して相対回転不能で、かつ前記錠ホルダー７と勘合する錠ホルダーロック８とから主構成されている。
尚、本実施の形態において、鉄蓋１を閉塞した状態で地表側を上側、地中側を下側という。
【００１３】
前記錠ホルダー７は、図２に示す如く、金属で製造され、上側の軸方向直交断面が円形の筒状部と、下側の非円形の嵌入部１５とを備えており、該嵌入部１５は前記錠ホルダーロック８と嵌合するようになっている。尚、この嵌入部１５は、円柱状のものから対向する両側部分を切り欠いた略角柱状に形成されている。
前記筒状部の内側には、シリンダー錠を収納する収納部１６が形成されている。尚、前記嵌入部１５の内径は収納部１６の内径より小径に形成されている。
前記収納部１６にはシリンダー錠（図示せず）を係合するための錠係合部１７が設けられている。前記収納部１６の上部には、磁着可能な部材からなるマグネットキャップ４を着脱自在に嵌合させる嵌合凹部が形成されている。
【００１４】
前記錠ホルダーロック８は、図２に示す如く、例えばダクタイル鋳鉄から製造された軸方向直交断面が四角形の筒状体で、前記カム連動ピン９の延在部が貫通する貫通孔を有する。又、低部に、前記錠ホルダー７の嵌入部１５と嵌合する非円形状（四角形）の被嵌入部たる被嵌入孔１８が設けられている。該被嵌入孔１８が、前記嵌入部１５に嵌合することにより、錠ホルダー７は鉄蓋１に対して相対回転不能となるように構成されている。尚、該嵌入部１５と被嵌入部１８の形状は、錠ホルダー７が鉄蓋１に対して相対回転不能となるように形成してある限り、どのような形であってもよい。
【００１５】
前記回転カム１１は、図２に示す如く、軸方向直交断面が円形で、前記カム連動ピン９の延在部が貫通する貫通孔を有する筒状部２０と、該筒状部２０の下端に設けられたフランジ部１９とを備える。筒状部２０の上面は、施錠装置として蓋体に取付けられた際に、前記錠ホルダーロック８の底面と面接触するように構成されている。また、回転カム１１を前記回転カム連動ピン９に取付けるために、カム１１の側部には、ネジ１３’を螺入する雌ネジ孔１３が設けられている。
【００１６】
前記回転カム連動ピン９は、図２に示す如く、金属で製造され且つ平面形状が円形を呈した略筒状体で、頭部２１と軸部２２とを備える。頭部２１の上面には、平面三角形状の凹部からなる被係合部２３が形成されている。該被係合部２３は、回転カム１１を施錠位置と開錠位置との間で位置変更させるためにの開閉用治具の係合部と係合する。尚該被係合部２３の平面形状は、前記開閉用治具の係合部に係合する形であれば、三角形状に限らず、楕円、四角、六角などどのような形状であってもよい。
また、頭部２１の外径は、前記錠ホルダー７に対して挿通不能となるように、前記錠ホルダー７の嵌入部１５の内径より大径に形成されている。
回転カム連動ピン９の軸部２２には、前記ネジ１３’の頭が当接する接触部２４が形成されている。回転カム１１と回転カム連動ピン９は、前記接触部２４により、回転カム連動ピン９の回転に連動して回転カム１１が回転するように、ネジ１３’が締めつけられ前記接触部２４にネジ１３’の頭が当接されることにより、互いに一体化するように構成されている。
回転カム連動ピン９は、前述の如く延在部を有し、この延在部の先端部にはロックナット１２を取り付けるべく、ネジ部２５が形成されており、回転カム連動ピン９は、前記延在部を前記回転カム１１の貫通孔に挿通した状態で、座金１０を介してロックナット１２で締め付けうるように構成されている。ここで、回転カム１１は錠ホルダーロック８に対して所定の摩擦抵抗が付与された状態で回転自在になるように構成されている。
尚、前記錠ホルダー７の上部には、例えばゴムで造られた表面キャップ３が被装される。
【００１７】
施錠装置Ａの鉄蓋１への取付けは、先ず、鉄蓋１に設けられた平面円形の孔１ａに、錠ホルダー７を上から皿バネ５を介して挿入する。
次いで錠ホルダー７に回転カム連動ピン９を上から挿入する。この時該回転カム連動ピン９の頭部２１が錠ホルダー７に引掛り、軸部２２の下部が錠ホルダー７から下方に突出し延在部が形成される。
回転カム連動ピン９を、該延在部側から錠ホルダーロック８の被嵌入孔１８に通し、錠ホルダー７の嵌入部１５に、錠ホルダーロック８の被嵌入孔１８を嵌合させる。
次いで、該回転カム連動ピン９の延在部を、回転カム１１の筒状部２０の貫通孔に通す。
次いで、雌ネジ孔１３にネジ１３’を螺入し、ネジ１３’の頭を回転カム連動ピン９の接触部２４に当接させ、回転カム１１と回転カム連動ピン９とを一体化する。
最後に、前記ネジ部２５に、平座金１０を介してロックナット１２を取付け、締め付けることによって、錠ホルダーロック８の下面と回転カム１１の上面とを面接触させ、鉄蓋１と回転カム１１とで錠ホルダーロック８を狭持させ、蓋体施錠装置Ａの鉄蓋１への取付けが完了する。尚、締結装置はロックナットに限らず、如何なる物でも使用できる。
【００１８】
このように施錠装置Ａは、錠ホルダーロック８が、一本の回転カム連動ピン９に挿通された状態で、鉄蓋１と回転カム１１とで狭持されるため、錠ホルダー７を単独でネジ止めしないので、所定位置で固定できることから、簡単で、迅速な取付け作業が可能となるとともに、ロックナット１２で締め付けた時に回転カム１１の上面が錠ホルダーロック８の下面に面接触して、回転カム１１のガタツキが防止される。
【００１９】
以上の構成からなる施錠装置Ａは、通常は、図１及び図３（ａ）に示す如く、回転カム１１は施錠状態に置かれている。鉄蓋１を開くには、先ず表面キャップ３を取外し、図示省略の開閉用治具のマグネット部により吸着してマグネットキャップ４を取外す。次に、錠ホルダー７の収納部１６の錠固定部１７に装着されたシリンダー錠（図示せず）を開錠し、錠ホルダー７から取出す。
次に、開閉用治具の係合部を、回転カム連動ピン９の被係合部２３に係合して、前記開閉用治具を所定方向に回転操作すると、回転カム１１が施錠位置（図３（ａ））から解除位置（図３（ｂ））まで、約９０°回転して開錠状態となる。
回転カム１１を開錠位置にした後、鉄蓋１を持ち上げる。
【００２０】
更に、受枠２に鉄蓋１を載せただけの開錠状態から施錠状態とするには、前記とは逆に回転カム１１を回転し、回転カム１１を図３（ａ）に示す施錠位置にする。次にシリンダー錠を錠ホルダー７の収納部１６に収納して、該シリンダー錠を施錠する。次いでマグネットキャップ４を嵌合凹部に嵌合させ、最後に表面キャップ３をマグネットキャップ４の上から被せる。
【００２１】
蓋体施錠装置Ａの回転カム１１の施錠状態では、図１および図３（ａ）に示す如く、回転カム１１のフランジ部１９が、所定の施錠位置で、受枠２の内側縁部２’に下方から係合することによって、施錠装置Ａが上方へ引き抜かれるのを阻止している。所定の施錠位置は、図３（ａ）に示す如く、回転カム１１の一側面１１’が、鉄蓋１の上面から下方に延長して設けられたストッパー部１’に当接することにより、位置決めされている。
また、開錠位置は、図３（ｂ）に示す如く、前記回転カム１１の一側面１１’に対向する側面１１’’が、前記ストッパー部１’と同様に鉄蓋１の上面から下方に延長され、かつ回転カム１１のフランジ部１９の長さ（ｌ）と略同じ長さだけ内側（鉄蓋１の中心側）に設けられたストッパー部１’’に当接することにより、位置決めすることができる。
【００２２】
蓋体施錠装置Ａでは、鉄蓋１および錠ホルダーロック８は、それぞれ、別の独立した部品となっているが、図４、図５に示す如く、錠ホルダーロック８と鉄蓋１とが一体となったもの８０であってもよい。この場合、蓋体施錠装置の部品点数を減らすことができ、取付け作業をさらに迅速に行うことができる。
【００２３】
また、蓋体施錠装置Ａでは、回転カム１１の開錠位置を決定するストッパー１’’は、鉄蓋１に設けられているが、図６、図７に示す如く、鉄蓋１に設ける代わりに、錠ホルダーロック８の一側壁を下方に延長して、回転カム１１の施錠位置及び開錠位置を決めるストッパー部を設けてもよい。
【００２４】
【発明の効果】
本発明の蓋体施錠装置は、錠ホルダーを蓋体にネジ止めすることなく固定することができるので、ネジ止め作業を減らすことができ、簡単で、迅速な取付け作業が可能となる。
【図面の簡単な説明】
【図１】本発明の一実施の形態を示す要部断面図である。
【図２】図1の施錠装置Ａの分解斜視図である。
【図３】図１の底面図であって、回転カムの施錠位置（ａ）と開錠位置（ｂ）を説明する。
【図４】本発明の他の実施の形態を示す要部断面図である。
【図５】図４で示される施錠装置の分解斜視図である。
【図６】本発明の更に他の実施の形態を示す要部図である。
【図７】図６で示される施錠装置の分解斜視図である。
【符号の説明】
１…鉄蓋（蓋体）、２…受枠、７…筒状錠ホルダー、８…錠ホルダーロック、９…回転カム連動ピン、１１…回転カム
【図１】
2004211285.tif 000003
【図２】
2004211285.tif 000004
【図３】
2004211285.tif 000005
【図４】
2004211285.tif 000006
【図５】
2004211285.tif 000007
【図６】
2004211285.tif 000008
【図７】
2004211285.tif 000009